(57)【要約】【課題】コイルの占積率の低下を抑えつつも、インシュレータの位置決めを行うこと。【解決手段】インシュレータ３１は、インシュレータ鍔部３４からスロット２８の内部へとインシュレータ３１の軸方向に延びる挿入部４０を有している。空間３８は、スロット２８を通過するコイル２７の一部分とティース２３の面２３ａとの間の絶縁距離を確保するために必要な既存の空間である。そして、挿入部４０は、スロット２８の空間３８に挿入される。よって、スロット２８に挿入部４０を挿入しても、スロット２８を通過するコイル２７の占積率が低下してしまうといった問題が生じない。そして、挿入部４０が、鍔部２５に当接することで、ステータコア２１に対する径方向又は周方向への移動が規制される。【選択図】図６
2019149923.tif 000002
【特許請求の範囲】
【請求項１】
筒状のヨーク、前記ヨークから径方向に延びる複数のティース、及び周方向で隣り合う前記ティースの間に形成されるスロットを有する環状のステータコアと、
前記ティースの軸方向両端面にそれぞれ配置され、前記ヨークに当接する筒状の基部、及び前記基部から径方向に延びるとともに前記複数のティースにそれぞれ当接する複数の延在部を有する環状のインシュレータと、
前記ティース及び前記延在部に巻線を巻回することにより形成されるコイルと、
前記スロットに挿入されるとともに前記コイルと前記ティースとの間に配置されるスロット絶縁シートと、を備える回転電機のステータであって、
前記ステータコアは、前記ティースにおける前記ヨークとは径方向反対側の端部において、周方向に延びる鍔部を有し、
前記インシュレータは、前記延在部における前記基部とは径方向反対側の端部において、周方向に延びるとともに前記スロットの一部を塞ぐ壁部と、前記壁部から前記スロットの内部へと前記軸方向に延びる挿入部と、を有し、
前記壁部は、前記コイルが前記鍔部へと向かう移動を当接規制し、
前記スロットの内部において、前記ティースと前記コイルとは、前記周方向に関し、前記スロット絶縁シートのみによって絶縁され、
前記インシュレータは、前記挿入部が前記鍔部に当接することで、前記ステータコアに対する径方向又は周方向への移動が規制されることを特徴とする回転電機のステータ。
【請求項２】
前記挿入部は、前記鍔部と当接する当接面を備えた板状であることを特徴とする請求項１に記載の回転電機のステータ。
【請求項３】
前記インシュレータは、前記基部から前記スロットの内部へと前記軸方向に延びるとともに、直接もしくは前記スロット絶縁シートを介して前記ヨークの周面に当接するヨーク当接部を有し、
前記ヨーク当接部は、前記周方向に隣り合う前記コイルの間に配置されていることを特徴とする請求項１又は請求項２に記載の回転電機のステータ。
【請求項４】
ロータと、
請求項１〜請求項３のいずれか一項に記載の回転電機のステータと、を備えることを特徴とする回転電機。
【発明の詳細な説明】
【技術分野】
【０００１】
本発明は、回転電機のステータ、及び回転電機に関する。
【背景技術】
【０００２】
回転電機のステータは、筒状のヨーク、ヨークから径方向に延びる複数のティース、及び周方向で隣り合うティースの間に形成されるスロットを有する環状のステータコアを備えている。ステータコアは、ティースにおけるヨークとは径方向反対側の端部において、ステータコアの周方向に延びる鍔部を有している。
【０００３】
また、特許文献１に開示されているように、ステータは、ティースの軸方向両端面にそれぞれ配置される環状のインシュレータを備えている。各インシュレータは、ヨークに当接する筒状の基部、及び基部から径方向に延びるとともに複数のティースにそれぞれ当接する複数の延在部を有している。また、ステータは、ティース及び延在部に巻線を巻回することにより形成されるコイルと、スロットに挿入されるとともにコイルとティースとの間に配置されるスロット絶縁シートと、を備えている。さらに、各インシュレータは、延在部における基部とは径方向反対側の端部において、インシュレータの周方向に延びる壁部を有している。壁部は、スロットの一部を塞ぐ。
【０００４】
各インシュレータの各延在部は、ステータコアの軸方向に位置する両端面からそれぞれ突出するコイルエンドと各ティースとの間を絶縁する。各インシュレータの壁部は、コイルが鍔部へと向かう移動を当接規制する。そして、各インシュレータの壁部が、コイルが鍔部へと向かう移動を当接規制することにより、各スロットを通過するコイルの一部分と各ティースにおけるヨークとは径方向反対側の面との間の絶縁距離が確保されている。
【０００５】
ところで、各インシュレータは、ステータコアの端面に対して位置決めされていることが望ましい。そこで、例えば特許文献２のインシュレータでは、各スロットを形成するヨークの内周面及びティースの面に沿う位置決め用の壁部をそれぞれ設け、各壁部を各スロットに挿入することにより、インシュレータにおけるステータコアの端面に対する位置決めを行っている。
【先行技術文献】
【特許文献】
【０００６】
【特許文献１】特開２０１２−５５０９８号公報
【特許文献２】特開２００１−１１２２０５号公報
【発明の概要】
【発明が解決しようとする課題】
【０００７】
しかしながら、特許文献２のように、スロットに壁部を挿入することにより、インシュレータをステータコアの端面に対して位置決めする構成では、壁部をスロットに挿入する分だけ、スロットを通過するコイルの占積率が低下してしまう。
【０００８】
本発明は、上記課題を解決するためになされたものであって、その目的は、コイルの占積率の低下を抑えつつも、インシュレータの位置決めを行うことができる回転電機のステータ、及び回転電機を提供することにある。
【課題を解決するための手段】
【０００９】
上記課題を解決する回転電機のステータは、筒状のヨーク、前記ヨークから径方向に延びる複数のティース、及び周方向で隣り合う前記ティースの間に形成されるスロットを有する環状のステータコアと、前記ティースの軸方向両端面にそれぞれ配置され、前記ヨークに当接する筒状の基部、及び前記基部から径方向に延びるとともに前記複数のティースにそれぞれ当接する複数の延在部を有する環状のインシュレータと、前記ティース及び前記延在部に巻線を巻回することにより形成されるコイルと、前記スロットに挿入されるとともに前記コイルと前記ティースとの間に配置されるスロット絶縁シートと、を備える回転電機のステータであって、前記ステータコアは、前記ティースにおける前記ヨークとは径方向反対側の端部において、周方向に延びる鍔部を有し、前記インシュレータは、前記延在部における前記基部とは径方向反対側の端部において、周方向に延びるとともに前記スロットの一部を塞ぐ壁部と、前記壁部から前記スロットの内部へと前記軸方向に延びる挿入部と、を有し、前記壁部は、前記コイルが前記鍔部へと向かう移動を当接規制し、前記スロットの内部において、前記ティースと前記コイルとは、前記周方向に関し、前記スロット絶縁シートのみによって絶縁され、前記インシュレータは、前記挿入部が前記鍔部に当接することで、前記ステータコアに対する径方向又は周方向への移動が規制される。
【００１０】
各インシュレータの壁部が、コイルが鍔部へと向かう移動を当接規制することにより、コイルの一部分は、各鍔部におけるヨーク側の面との間に空間が確保された状態で、各スロットを通過している。スロットにおいて、コイルの一部分と鍔部におけるヨーク側の面との間の空間は、各スロットを通過するコイルの一部分と各ティースにおけるヨークとは径方向反対側の面との間の絶縁距離を確保するために必要な既存の空間である。そして、壁部からスロットの内部へと延びる挿入部は、コイルの一部分と鍔部におけるヨーク側の面との間の空間に挿入される。これによれば、スロットに挿入部を挿入しても、挿入部をスロットに挿入する分だけ、スロットを通過するコイルの占積率が低下してしまうといった問題が生じない。そして、挿入部が、鍔部に当接することで、ステータコアに対する径方向又は周方向への移動が規制される。したがって、コイルの占積率の低下を抑えつつも、インシュレータの位置決めを行うことができる。
【００１１】
上記回転電機のステータにおいて、前記挿入部は、前記鍔部と当接する当接面を備えた板状であるとよい。これによれば、当接面が鍔部と面接触するため、例えば、挿入部が、各鍔部に線接触や点接触する場合に比べると、インシュレータの位置決め精度を向上させることができる。
【００１２】
上記回転電機のステータにおいて、前記インシュレータは、前記基部から前記スロットの内部へと前記軸方向に延びるとともに、直接もしくは前記スロット絶縁シートを介して前記ヨークの周面に当接するヨーク当接部を有し、前記ヨーク当接部は、前記周方向に隣り合う前記コイルの間に配置されているとよい。これによれば、ヨーク当接部によっても、コイルの占積率の低下を抑えつつも、インシュレータの位置決めをさらに正確に行うことができる。
【００１３】
上記課題を解決する回転電機は、ロータと、請求項１〜請求項３のいずれか一項に記載の回転電機のステータと、を備える。
【発明の効果】
【００１４】
この発明によれば、コイルの占積率の低下を抑えつつも、インシュレータの位置決めを行うことができる。
【図面の簡単な説明】
【００１５】
【図１】実施形態における回転電機を示す断面図。
【図２】ステータコア及びインシュレータを示す分解斜視図。
【図３】ステータの斜視図。
【図４】インシュレータ及びコイルの断面図。
【図５】インシュレータの一部を拡大して示す斜視図。
【図６】ステータの一部を拡大して示す断面図。
【発明を実施するための形態】
【００１６】
以下、回転電機のステータ、及び回転電機を具体化した一実施形態を図１〜図６にしたがって説明する。
図１に示すように、回転電機１０は、筒状のステータ１１と、ステータ１１の内側に配置されるロータ１２と、を備えている。ステータ１１は、ロータ１２を取り囲んでいる。ロータ１２は、回転軸１３が挿通された状態で回転軸１３に固定されるとともに回転軸１３と一体的に回転する。ロータ１２は、回転軸１３に止着された円筒状のロータコア１２ａを有している。
【００１７】
図２及び図３に示すように、ステータ１１は、円筒状（環状）のステータコア２１を備えている。ステータコア２１は、円筒状のヨーク２２、及びヨーク２２の内周面２２ａからステータコア２１の径方向に延びる複数のティース２３を有している。複数のティース２３は、ステータコア２１の周方向に間隔をあけて配置されるとともにヨーク２２の内周面２２ａからステータコア２１の軸線に向けて延びている。各ティース２３におけるヨーク２２の内周面２２ａとは反対側の面２３ａは、ロータコア１２ａの外周面に沿った円弧状である。
【００１８】
ステータコア２１の軸方向に位置するヨーク２２の両端面２２ｅは平坦面状である。ステータコア２１の軸方向に位置する各ティース２３の両端面２３ｅは平坦面状である。ステータコア２１の軸方向におけるヨーク２２の長さとステータコア２１の軸方向における各ティース２３の長さとは同じである。よって、ヨーク２２の端面２２ｅ及び各ティース２３の端面２３ｅは同一平面上に位置している。ヨーク２２の両端面２２ｅ及び各ティース２３の両端面２３ｅは、ステータコア２１の軸方向に位置する両端面２１ｅを形成している。
【００１９】
各ティース２３は、ヨーク２２の内周面２２ａから延在するティース延在部２４を有している。また、ステータコア２１は、ティース２３におけるヨーク２２とは径方向反対側の端部において、ステータコア２１の周方向に延びる鍔部２５を有している。鍔部２５は、ティース延在部２４におけるヨーク２２とは反対側の端部からステータコア２１の周方向両側に突出している。
【００２０】
図１に示すように、ステータ１１は、コイル２７を備えている。コイル２７の一部分は、ステータコア２１の周方向で隣り合うティース２３の間に形成された空間であるスロット２８を通過している。よって、ステータコア２１は、ステータコア２１の周方向で隣り合うティース２３の間に形成されるスロット２８を有している。
【００２１】
ステータ１１は、各スロット２８に挿入されるとともにコイル２７とティース２３との間に配置されるスロット絶縁シート２９を備えている。スロット絶縁シート２９は、各スロット２８を通過するコイル２７の一部分とステータコア２１とを絶縁する。スロット絶縁シート２９は、細長帯状のシートを短手方向に沿って略Ｕ字状に湾曲させた形状である。スロット絶縁シート２９は、その長手方向がステータコア２１の軸方向に一致した状態でスロット２８に挿入されている。
【００２２】
スロット絶縁シート２９は、スロット２８を形成するヨーク２２及びティース２３に沿って延びている。また、スロット絶縁シート２９は、ステータコア２１の軸方向の一端から他端にかけて延びている。スロット絶縁シート２９は、ステータコア２１の周方向で隣り合う鍔部２５同士の隙間であるステータコア２１のスロットオープン３０に対してステータコア２１の径方向で重なる部分に開口２９ａを有している。開口２９ａは、スロット絶縁シート２９の長手方向の一端から他端にかけて延びている。よって、開口２９ａは、ステータコア２１の軸方向の一端から他端にかけて延びている。
【００２３】
図２及び図３に示すように、ステータ１１は、ステータコア２１（ティース２３）の両端面２１ｅにそれぞれ配置される円筒状（環状）のインシュレータ３１を備えている。各インシュレータ３１は、各インシュレータ３１の軸方向がステータコア２１の軸方向に一致した状態で、ステータコア２１の端面２１ｅに配置されている。
【００２４】
各インシュレータ３１は、円筒状の基部３２を有している。また、各インシュレータ３１は、基部３２の内周面３２ａからインシュレータ３１の径方向に延びる複数の延在部３３と、各延在部３３における基部３２とは径方向反対側の端部において、基部３２の周方向に延びるとともにスロット２８の一部を塞ぐ壁部としての一対のインシュレータ鍔部３４と、を有している。
【００２５】
基部３２は、ステータコア２１の軸方向でヨーク２２と対向する位置に配置されている。インシュレータ３１の軸方向に位置する基部３２の両端面３２ｅは平坦面状である。基部３２の両端面３２ｅの一方は、ヨーク２２の端面２２ｅに面接触している。よって、基部３２は、ヨーク２２に当接している。基部３２の外径は、ヨーク２２の外径よりも小さい。基部３２の内径は、ヨーク２２の内径と同じである。
【００２６】
基部３２の内周面３２ａからは、ティース延在部２４と同数の延在部３３が延在している。各延在部３３における基部３２の周方向の幅は、各ティース延在部２４におけるステータコア２１の周方向の幅と同じである。複数の延在部３３は、基部３２の周方向に間隔をあけて配置されるとともに基部３２の内周面３２ａから基部３２の軸線に向けて延びている。
【００２７】
各延在部３３は、ステータコア２１の軸方向で各ティース延在部２４と対向する位置に配置されている。各延在部３３は、基部３２の内周面３２ａにおける基部３２の両端面３２ｅの一方の端部から突出する柱状である。インシュレータ３１の軸方向に位置する各延在部３３の両端面３３ｅは平坦面状である。そして、各延在部３３の両端面３３ｅの一方は、基部３２の両端面３２ｅの一方と同一平面上に位置している。
【００２８】
一対のインシュレータ鍔部３４は、各延在部３３における基部３２とは反対側の端部から基部３２の周方向両側にそれぞれ突出している。インシュレータ３１の軸方向において、各延在部３３の両端面３３ｅの一方側に位置する各インシュレータ鍔部３４の端面３４ｅは平坦面状であるとともに、基部３２の両端面３２ｅの一方と同一平面上に位置している。各延在部３３の両端面３３ｅの一方、及び各インシュレータ鍔部３４の端面３４ｅは、各ティース２３の端面２３ｅに面接触している。よって、複数の延在部３３は、複数のティース２３にそれぞれ当接している。
【００２９】
また、各インシュレータ３１は、各インシュレータ鍔部３４、及び各延在部３３における基部３２とは反対側の端部に連続するとともにインシュレータ３１の軸方向において基部３２の両端面３２ｅの他方側に張り出す薄板状の張り出し壁３５を有している。各張り出し壁３５における基部３２の周方向の幅は、各インシュレータ鍔部３４における基部３２の周方向の幅と同じである。よって、基部３２の周方向両側に位置する各張り出し壁３５の縁部は、基部３２の周方向に位置する各インシュレータ鍔部３４の縁部に連続するとともにインシュレータ３１の軸方向に延びている。各インシュレータ鍔部３４における基部３２側の面３４ａと、各張り出し壁３５における基部３２側の面３５ａとは同一面上に位置している。
【００３０】
各インシュレータ３１は、基部３２の周方向で隣り合うインシュレータ鍔部３４及び張り出し壁３５同士の隙間である開口３６を有している。各インシュレータ３１の各開口３６は、ステータコア２１のスロットオープン３０とステータコア２１の周方向で一致している。
【００３１】
図３に示すように、ステータコア２１の両端面２１ｅからそれぞれ突出する各コイルエンド２７ｅは、各インシュレータ３１において、基部３２の周方向で隣り合う延在部３３の間に形成されたコイル挿通空間３７（図２参照）を通過している。このとき、各インシュレータ３１の各インシュレータ鍔部３４における基部３２側の面３４ａは、各コイルエンド２７ｅに接触している。
【００３２】
また、各コイルエンド２７ｅは、各インシュレータ３１において、基部３２の内周面３２ａと各張り出し壁３５との間であって、且つ各延在部３３の両端面３３ｅの他方側（各延在部３３におけるステータコア２１とは反対側）に位置する空間を通過している。
【００３３】
各コイルエンド２７ｅは、各インシュレータ３１の基部３２に接触することによって、基部３２における径方向外側への移動が規制されている。また、各コイルエンド２７ｅは、各インシュレータ３１において、各インシュレータ鍔部３４における基部３２側の面３４ａ、及び各張り出し壁３５における基部３２側の面３５ａに接触することによって、基部３２における径方向内側への移動が規制されている。各コイルエンド２７ｅは、各インシュレータ３１の各延在部３３によって、ステータコア２１の各ティース２３と絶縁されている。
【００３４】
コイル２７は、例えば、巻線用ノズルを、各インシュレータ３１の開口３６、スロットオープン３０、及びスロット絶縁シート２９の開口２９ａを通過させながら、各ティース延在部２４及び各インシュレータ３１の各延在部３３に巻線２６を集中巻きで巻回することにより形成される。よって、コイル２７は、ティース２３及び延在部３３に巻線２６を巻回することにより形成されている。また、巻線用ノズルを用いずに、予め巻線２６を環状に巻回したコイル２７を、スロットオープン３０、スロット絶縁シート２９の開口２９ａ、及び各インシュレータ３１の開口３６を介してスロット２８及びコイル挿通空間３７に挿入する場合もある。
【００３５】
各スロット２８においてステータコア２１の周方向で隣り合うコイル２７同士は互いに異なる相（Ｕ相、Ｖ相及びＷ相）である。例えば、各コイル２７は、巻線２６の巻き始め端部に一方の引出線を有し、各相のコイル２７の一方の引出線は、相毎にまとめられて、対応する相の図示しない給電端子に電気的に接続されている。また、各コイル２７は、巻線２６の巻き終わり端部に他方の引出線を有し、各相のコイル２７の他方の引出線は、図示しない中性点連結部において相互に電気的に接続されている。そして、コイル２７に電流が流れることによって、ロータ１２と回転軸１３とが一体的に回転する。
【００３６】
図４に示すように、ステータコア２１の軸方向から見たときに、各インシュレータ鍔部３４における基部３２側の面３４ａは、各鍔部２５におけるヨーク２２側の面２５ａよりも基部３２側に位置している。なお、各鍔部２５におけるヨーク２２側の面２５ａは、ヨーク２２に対して離間するにつれてティース延在部２４に対して徐々に離間していく平坦面状の斜面である。また、図４においては、図示の都合上、スロット絶縁シート２９の図示を省略している。
【００３７】
各インシュレータ鍔部３４の面３４ａが、各鍔部２５の面２５ａよりも基部３２側に位置していることにより、各インシュレータ鍔部３４の一部分は、各スロット２８におけるコイル２７の一部分と鍔部２５におけるヨーク２２側の面２５ａとの間の空間３８に対してステータコア２１の軸方向で対向している。
【００３８】
図５に示すように、各インシュレータ３１の各インシュレータ鍔部３４には、各スロット２８におけるコイル２７の一部分と鍔部２５におけるヨーク２２側の面２５ａとの間の空間３８に挿入される挿入部４０が設けられている。挿入部４０は、各インシュレータ鍔部３４からスロット２８の内部へとインシュレータ３１の軸方向に延びている。本実施形態において、各インシュレータ鍔部３４には、ステータコア２１の周方向で隣り合うとともにスロットオープン３０を互いに協働して形成する２つの鍔部２５におけるヨーク２２側の面２５ａにそれぞれ当接可能な挿入部４０が１つずつ設けられている。
【００３９】
各挿入部４０は、鍔部２５と当接する当接面４０ａを備えた細長薄平板状である。当接面４０ａは、各鍔部２５におけるヨーク２２側の面２５ａに沿って延びる平坦面状である。各挿入部４０は、各インシュレータ鍔部３４の端面３４ｅにおいて、各スロット２８におけるコイル２７の一部分と鍔部２５におけるヨーク２２側の面２５ａとの間の空間３８に対してステータコア２１の軸方向で対向する部分から突出している。
【００４０】
次に、本実施形態の作用について説明する。
図６に示すように、各コイルエンド２７ｅが、各インシュレータ３１の各インシュレータ鍔部３４における基部３２側の面３４ａに接触している。よって、インシュレータ鍔部３４は、コイル２７が鍔部２５へと向かう移動を当接規制し、スロット２８の内部において、ティース２３とコイル２７とは、ステータコア２１の周方向に関し、スロット絶縁シートのみによって絶縁されている。そして、コイル２７の一部分は、各鍔部２５におけるヨーク２２側の２５ａ面との間に空間３８が確保された状態で、各スロット２８を通過している。これにより、各スロット２８を通過するコイル２７の一部分と各ティース２３におけるヨーク２２の内周面２２ａとは反対側の面２３ａとの間の絶縁距離が確保されている。
【００４１】
さらに、各挿入部４０が、各スロット２８におけるコイル２７の一部分と鍔部２５におけるヨーク２２側の面２５ａとの間の空間３８に挿入され、当接面４０ａが、各鍔部２５におけるヨーク２２側の面２５ａに面接触した状態で当接する。これにより、インシュレータ３１は、ステータコア２１の端面２１ｅに対する径方向又は周方向への移動が規制される。
【００４２】
上記実施形態では以下の効果を得ることができる。
（１）インシュレータ３１は、各インシュレータ鍔部３４からスロット２８の内部へとインシュレータ３１の軸方向に延びる挿入部４０を有している。各スロット２８の空間３８は、各スロット２８を通過するコイル２７の一部分と各ティース２３におけるヨーク２２の内周面２２ａとは反対側の面２３ａとの間の絶縁距離を確保するために必要な既存の空間である。そして、各挿入部４０は、各スロット２８の空間３８に挿入される。よって、スロット２８に挿入部４０を挿入しても、挿入部４０をスロット２８に挿入する分だけ、スロット２８を通過するコイル２７の占積率が低下してしまうといった問題が生じない。そして、各挿入部４０が、鍔部２５におけるヨーク２２側の面２５ａに当接することで、ステータコア２１の端面２１ｅに対する径方向又は周方向への移動が規制される。したがって、コイル２７の占積率の低下を抑えつつも、インシュレータ３１の位置決めを行うことができる。
【００４３】
（２）挿入部４０は、鍔部２５におけるヨーク２２側の面２５ａと当接する当接面４０ａを備えた板状である。これによれば、当接面４０ａが、各鍔部２５におけるヨーク２２側の面２５ａに面接触するため、例えば、挿入部４０が、各鍔部２５におけるヨーク２２側の面２５ａに線接触や点接触する場合に比べると、ステータコア２１の端面２１ｅに対する各インシュレータ３１の位置決め精度を向上させることができる。
【００４４】
（３）インシュレータ３１は、ステータコア２１に対する位置決めのために、ティース２３のティース延在部２４の側面に当接せず、各挿入部４０が、鍔部２５におけるヨーク２２側の面２５ａに当接することで、ステータコア２１の端面２１ｅに対する径方向又は周方向への移動が規制される。よって、ティース２３のティース延在部２４の側面にインシュレータ３１の一部を当接させて、ステータコア２１に対する位置決めを行う場合に比べて、コイル２７の占積率の低下を抑えつつも、インシュレータ３１の位置決めを行うことができる。
【００４５】
（４）各インシュレータ鍔部３４には、ステータコア２１の周方向で隣り合うとともにスロットオープン３０を互いに協働して形成する２つの鍔部２５におけるヨーク２２側の面２５ａにそれぞれ当接可能な挿入部４０が１つずつ設けられている。これによれば、例えば、各インシュレータ鍔部３４に、ステータコア２１の周方向で隣り合うとともにスロットオープン３０を互いに協働して形成する２つの鍔部２５におけるヨーク２２側の面２５ａの一方のみに当接可能な挿入部４０が１つだけ設けられている場合に比べて、インシュレータ３１の位置決め精度を向上させることができる。
【００４６】
（５）各インシュレータ３１は、複数のスロット２８にそれぞれ挿入される挿入部４０を複数有している。よって、例えば、複数のスロット２８のうちの１つに挿入される挿入部４０を１つだけ有しているインシュレータ３１に比べると、ステータコア２１の端面２１ｅに対するインシュレータ３１の位置決め精度を向上させることができる。
【００４７】
（６）ステータコア２１に対して各インシュレータ３１を位置決めするために、ステータコア２１を加工する必要が無いため、ステータコア２１を流れる磁束に影響を及ぼしたり、ステータコア２１を製造する手間が掛かったりするといった問題が生じてしまうことを回避することができる。
【００４８】
なお、上記実施形態は以下のように変更してもよい。
○  実施形態において、インシュレータ３１は、基部３２からスロット２８の内部へとインシュレータ３１の軸方向に延びるとともに、直接もしくはスロット絶縁シート２９を介してヨーク２２の内周面２２ａに当接するヨーク当接部を有していてもよい。ヨーク当接部は、ステータコア２１の周方向に隣り合うコイル２７の間に配置されている。これによれば、ヨーク当接部によっても、コイルの占積率の低下を抑えつつも、インシュレータ３１の位置決めをさらに正確に行うことができる。
【００４９】
○  実施形態において、各インシュレータ３１は、各インシュレータ鍔部３４に、ステータコア２１の周方向で隣り合うとともにスロットオープン３０を互いに協働して形成する２つの鍔部２５におけるヨーク２２側の面２５ａの一方のみに当接可能な挿入部４０が１つだけ設けられている構成であってもよい。
【００５０】
○  実施形態において、各インシュレータ３１のインシュレータ鍔部３４に、複数のスロット２８のうちの少なくとも一つにおいて、コイル２７の一部分と鍔部２５におけるヨーク２２側の面２５ａとの間の空間３８に挿入される挿入部４０が設けられていればよい。要は、インシュレータ３１に設けられる挿入部４０の数は、特に限定されるものではない。
【００５１】
○  実施形態において、挿入部４０は、細長薄平板状に限らず、例えば、円柱状であってもよく、各鍔部２５におけるヨーク２２側の面２５ａに対して線接触や点接触する構成であってもよい。
【００５２】
○  実施形態において、インシュレータ３１は、基部３２の周方向で隣り合う延在部３３における基部３２とは反対側の端部同士を連結するとともに基部３２の周方向全周に亘って延びる環状の壁部を有していてもよい。
【００５３】
○  実施形態において、コイル２７は、各ティース延在部２４及び各延在部３３に巻線２６が分布巻きで巻回されることにより形成されていてもよい。
○  実施形態において、回転電機１０は、ステータの径方向外側にロータが配置されるアウターロータ型の回転電機１０であってもよい。アウターロータ型の回転電機１０では、ヨーク２２の外周面から径方向外側に向けて延びるティースを備えている。各インシュレータ３１は、基部３２の外周面から径方向外側に向けて延びる延在部を備えている。
【符号の説明】
【００５４】
１０…回転電機、１１…ステータ、１２…ロータ、２１…ステータコア、２１ｅ…端面、２２…ヨーク、２３…ティース、２５…鍔部、２６…巻線、２７…コイル、２８…スロット、２９…スロット絶縁シート、３１…インシュレータ、３２…基部、３３…延在部、３４…壁部としてのインシュレータ鍔部、４０…挿入部、４０ａ…当接面。
【図１】
2019149923.tif 000003
【図２】
2019149923.tif 000004
【図３】
2019149923.tif 000005
【図４】
2019149923.tif 000006
【図５】
2019149923.tif 000007
【図６】
2019149923.tif 000008